(57)【要約】【課題】構造が簡単な角度調整機構を有するものとして、大がかりな機構を必要せず小型化を可能とし、しかも平面鏡の反射面が直角になった状態に調整することができると共に、その角度合わせの非常に簡便な鏡を提供する。【解決手段】本体１に二枚の平面鏡２ａ、２ｂの反射面Ｒａ、Ｒｂを直角に向かい合わせて設けると共に、前記二枚の平面鏡２ａ、２ｂの反射面Ｒａ、Ｒｂを向かい合わせた角度が直角からずれた場合に、その角度を調整して直角に復帰させるようにした角度調整機構３を設けたものとしている。【選択図】        図４
2004283340.tif 000002
【特許請求の範囲】
【請求項１】
本体（１）に二枚の平面鏡（２ａ、２ｂ）の反射面（Ｒａ、Ｒｂ）を直角に向かい合わせて設けると共に、前記二枚の平面鏡（２ａ、２ｂ）の反射面（Ｒａ、Ｒｂ）を向かい合わせた角度が直角からずれた場合に、その角度を調整して直角に復帰させるようにした角度調整機構（３）を設けたことを特徴とする鏡。
【請求項２】
前記本体（１）に設けた二枚の平面鏡（２ａ、２ｂ）の後側に、一枚の平面鏡（２ｃ）の反射面（Ｒｃ）を外に向けて設けたことを特徴とする請求項１記載の鏡。
【請求項３】
前記本体（１）を、両側板（４ａ、４ｂ）のそれぞれの上下端に上下板（５ａ、５ｂ）を被せたものとし、前記平面鏡（２ａ、２ｂ）の外側端を、両側板（４ａ、４ｂ）の前側部に設けた支持溝（６）に遊嵌状態で支持すると共に、前記平面鏡（２ａ、２ｂ）の内側端を前記平面鏡（２ｃ）の裏面（Ｂ）に設けた支持部（８）に支持したことを特徴とする請求項２記載の鏡。
【請求項４】
前記角度調整機構（３）を、前記平面鏡（２ａ、２ｂ）の何れか一方の中間部に水平方向に張り出した支持体（１０）を設け、この支持体（１０）の上方に位置する上板（５ａ）に、この支持体（１０）を設けた平面鏡と平行としたスライド孔（１１）を形成すると共に、前記支持体（１０）に、この支持体（１０）を設けた平面鏡と平行より少しずらしたスライド孔（１２）を前記スライド孔（１１）の真下に形成し、前記スライド孔（１１）およびスライド孔（１２）の略中央に、下板（５ｂ）に下端を軸支した操作軸（１３）を貫通させ、この操作軸（１３）の上端をスライド孔（１２）の上方に突出させたものとしたことを特徴とする請求項３記載の鏡。
【発明の詳細な説明】
【０００１】
【発明の属する技術分野】
この発明は、顔面、身体などを映す場合、左右反転しない虚像を映すようにした鏡に関するものである。
【０００２】
【従来の技術】
従来、この種の鏡には、例えば図７に示したように、平坦な反射面を有する一対の反射鏡を、反射面が直交するようにすると共に、反射面の交差位置が一直線上にあるように配置するために、平面鏡２１、２２の各端部に４５°の傾斜角を持った結合部２３を形成し、平面鏡２１、２２を直交させて結合したものとしている（特許文献１）。
【０００３】
さらに、この種の鏡には、例えば図８に示したように、第１の平面鏡部３１と第２の平面鏡部３２を備え、第１の平面鏡部３１の端部３１ａと第２の平面鏡部３２の端部３２ａの境界はヒンジ部３３により折り曲げ可能に連結され、支点３４ｃで回動自在に連結された第１の部材３４ａと第２の部材３４ｂからなる連結部３４により、第１の平面鏡部３１と第２の平面鏡部３２との角度βを直角に調節したものとしている（特許文献２）。
【０００４】
【特許文献１】
特開平１−３００２０４号（第３頁、第５図）
【特許文献２】
特開２００２−３５５１５３号（第２〜３頁、図２）
【０００５】
【発明が解決しようとする課題】
しかしながら、この種の鏡は、二枚の平面鏡の反射面の向かい合わせた角度が直角から少しでもずれてしまうと、たちまち虚像が実際の寸法より横に広がったり、狭まったりして写ってしまうので、前記特許文献１、２に示したものにおいては、その角度調整機構が設けられておらず、この種の鏡としての用をなさなくなるという問題点を有していた。
【０００６】
そこで、この発明は、上記従来の問題点を解決することをその課題としており、構造が簡単な角度調整機構を有するものとして、大がかりな機構を必要せず小型化を可能とし、しかも平面鏡の反射面が直角になった状態に調整することができると共に、その角度合わせの非常に簡便な鏡を提供することを目的としてなされたものである。
【０００７】
【課題を解決するための手段】
そのため、この発明の鏡は、本体１に二枚の平面鏡２ａ、２ｂの反射面Ｒａ、Ｒｂを直角に向かい合わせて設けると共に、前記二枚の平面鏡２ａ、２ｂの反射面Ｒａ、Ｒｂを向かい合わせた角度が直角からずれた場合に、その角度を調整して直角に復帰させるようにした角度調整機構３を設けたものとしている。
【０００８】
そして、この発明の鏡は、前記本体１に設けた二枚の平面鏡２ａ、２ｂの後側に、一枚の平面鏡２ｃの反射面Ｒｃを外に向けて設けたものとしている。
【０００９】
さらに、この発明の鏡は、前記本体１を、両側板４ａ、４ｂのそれぞれの上下端に上下板５ａ、５ｂを被せたものとし、前記平面鏡２ａ、２ｂの外側端を、両側板４ａ、４ｂの前側部に設けた支持溝６に遊嵌状態で支持すると共に、前記平面鏡２ａ、２ｂの内側端を前記平面鏡２ｃの裏面Ｂに設けた支持部８に支持したものとしている。
【００１０】
また、この発明の鏡は、前記角度調整機構３を、前記平面鏡２ａ、２ｂの何れか一方の中間部に水平方向に張り出した支持体１０を設け、この支持体１０の上方に位置する上板５ａに、この支持体１０を設けた平面鏡と平行としたスライド孔１１を形成すると共に、前記支持体１０に、この支持体１０を設けた平面鏡と平行より少しずらしたスライド孔１２を前記スライド孔１１の真下に形成し、前記スライド孔１１およびスライド孔１２の略中央に、下板５ｂに下端を軸支した操作軸１３を貫通させ、この操作軸１３の上端をスライド孔１２の上方に突出させたものとしている。
【００１１】
【発明の実施の形態】
以下、この発明の鏡の実施形態を、図面に基づいて詳細に説明する。
【００１２】
この発明の鏡は、図１、２に示したように、本体１の前側に、二枚の平面鏡２ａ、２ｂの反射面Ｒａ、Ｒｂを直角に向かい合わせて設けると共に、本体１の後側に、一枚の平面鏡２ｃの反射面Ｒｃを外に向けて設けたものとしている。さらに、前記二枚の平面鏡２ａ、２ｂの反射面Ｒａ、Ｒｂを向かい合わせた角度が直角からずれた場合に、その角度を調整して直角に復帰させるようにした角度調整機構３を設けたものとしている。
【００１３】
本体１は、図１〜４に示したように、両側板４ａ、４ｂのそれぞれの上下端に上下板５ａ、５ｂを被せたものとしており、本体１の前側に、二枚の平面鏡２ａ、２ｂの外側端を、両側板４ａ、４ｂの前側部に設けた支持溝６に遊嵌状態で支持すると共に、この本体１の後側に、一枚の平面鏡２ｃの両側端を、両側板４ａ、４ｂの後側部に設けた支持部７に支持している。そして、前記平面鏡２ａ、２ｂの内側端を前記平面鏡２ｃの裏面Ｂに設けた支持部８に支持し、平面鏡２ａ、２ｂの反射面Ｒａ、Ｒｂを直角に向かい合わせたものとしている。
【００１４】
前記本体１の両側板４ａ、４ｂの前側部に設けた支持溝６は、両側板４ａ、４ｂと一体として設けたものとしてもよいが、図示したように、両側板４ａ、４ｂとは別体とした支持枠９ａ、９ｂに設けたものとしてもよい。また、本体１の両側板４ａ、４ｂの後側部に設けた支持部７は、両側板４ａ、４ｂとは別体として設けたものとしてもよいが、図示したように、両側板４ａ、４ｂに一体として設けたものとしてもよい。
【００１５】
角度調整機構３は、図３〜６に示したように、前記平面鏡２ａ、２ｂの何れか一方の中間部に水平方向に張り出した支持体１０を設け、この支持体１０の上方に位置する上板５ａに、この支持体１０を設けた平面鏡と平行としたスライド孔１１を形成すると共に、前記支持体１０に、この支持体１０を設けた平面鏡と平行より少しずらしたスライド孔１２を前記スライド孔１１の真下に形成したものとしている。また、角度調整機構３は、図示していないが、前記上板５ａに、前記支持体１０を設けた平面鏡と平行より少しずらしたスライド孔１１を形成すると共に、前記支持体１０に、この支持体１０を設けた平面鏡と平行としてスライド孔１２を前記スライド孔１１の真下に形成したものとしてもよい。すなわち、角度調整機構３のスライド孔１１とスライド孔１２の関係は、ねじれ角を小さくした（約１〜５度）ねじれの位置にあればよい。
【００１６】
そして、この角度調整機構３は、前記スライド孔１１およびスライド孔１２の略中央に、下板５ｂに下端を軸支した操作軸１３を貫通させ、この操作軸１３の上端をスライド孔１２の上方に突出させたものとしている。また、この操作軸１３の上端には、必要に応じ摘体１３ａを取り付けたものとしている。
【００１７】
なお、この発明の鏡の本体１は、平面鏡２ａ、２ｂ、２ｃの傾斜角度を調節自在とすると共に、旋回自在として台座１４の上部に取り付けたものとしているが、本体１の下板５ｂ底面を適宜場所にそのまま設置するようにしてもよい。
【００１８】
以上のように構成したこの発明の鏡は、反射面Ｒａ、Ｒｂを直角に向かい合わせて設けた二枚の平面鏡２ａ、２ｂ、反射面Ｒｃを外に向けて設けた一枚の平面鏡２ｃの何れもを任意に使用することができ、使用者が必要に応じて使い分けることができる。
【００１９】
前記一枚の平面鏡２ｃ側を使用する場合には、特に問題はないが、二枚の平面鏡２ａ、２ｂ側を使用する場合には、長年の使用などによって側板４ａ、４ｂなどに歪みが生じたりして、二枚の平面鏡２ａ、２ｂの反射面Ｒａ、Ｒｂを向かい合わせた角度が直角から僅かにずれる場合がある。このような場合に、虚像が横方向に伸びたり、縮んで写ったりするので、その僅かにずれた角度を調整して直角に復帰させる必要がある。
【００２０】
この発明の鏡では、その角度の調整を角度調整機構３によって行うことができる。
【００２１】
すなわち、図示した実施態様の鏡では、図６に示したように、前記操作軸１３の上端の摘体１３ａを指で摘んで、スライド孔１１とスライド孔１２に沿わせて操作軸１３を図中の左側へ移動（図中に一点鎖線で示す）させると、この操作軸１３によって平面鏡２ｂが鏡の後方側（図の上側）に押され、平面鏡２ｂの外側端がその遊嵌された支持溝６の後方側（図中に一点鎖線で示す）に移動する。したがって、この場合には、平面鏡２ａ、２ｂの反射面Ｒａ、Ｒｂを向かい合わせた角度が広がるので、この反射面Ｒａ、Ｒｂの角度が直角より小さくなった時にこのような操作をして、そのずれた角度を調整して直角に復帰させればよい。
【００２２】
また、図示した実施態様の鏡では、図６に示したように、前記操作軸１３の上端の摘体１３ａを指で摘んで、スライド孔１１とスライド孔１２に沿わせて操作軸１３を図中の右側へ移動（図中に二点鎖線で示す）させると、この操作軸１３によって平面鏡２ｂが鏡の前方側（図の下側）に押され、平面鏡２ｂの外側端がその遊嵌された支持溝６の前方側（図中に二点鎖線で示す）に移動する。したがって、この場合には、平面鏡２ａ、２ｂの反射面Ｒａ、Ｒｂを向かい合わせた角度が狭まるので、この反射面Ｒａ、Ｒｂの角度が直角より大きくなった時にこのような操作をして、そのずれた角度を調整して直角に復帰させればよい。
【００２３】
【発明の効果】
この発明の鏡は、以上に述べたように構成されており、構造が簡単な角度調整機構を有するものとなり、大がかりな機構を必要せず小型化を可能としたので、鏡自体も嵩張らないものとなり、しかも平面鏡の反射面が直角になった状態に調整することができると共に、その角度合わせが非常に簡便なものとなった。
【図面の簡単な説明】
【図１】この発明の鏡の前側から見た斜視図である。
【図２】この発明の鏡の後側から見た斜視図である。
【図３】この発明の鏡の平面図である。
【図４】この発明の鏡の水平断面図である。
【図５】この発明の鏡の内部説明図である。
【図６】この発明の鏡の角度調節機構の操作状態を示す説明図である。
【図７】従来の鏡の一例を示す断面図である。
【図８】従来の鏡の他の例を示す平面図である。
【符号の説明】
１  本体
２ａ  平面鏡
２ｂ  平面鏡
２ｃ  平面鏡
３  角度調整機構
４ａ  側板
４ｂ  側板
５ａ  上板
５ｂ  下板
６  支持溝
８  支持部
１０  支持体
１１  スライド孔
１２  スライド孔
１３  操作軸
Ｒａ  反射面
Ｒｂ  反射面
Ｒｃ  反射面
Ｂ    裏面
【図１】
2004283340.tif 000003
【図２】
2004283340.tif 000004
【図３】
2004283340.tif 000005
【図４】
2004283340.tif 000006
【図５】
2004283340.tif 000007
【図６】
2004283340.tif 000008
【図７】
2004283340.tif 000009
【図８】
2004283340.tif 000010